(57)【要約】【課題】折り返しミラーの湾曲を補正部材によって補正することができる光走査装置を提供する。【解決手段】光ビームを発射する光源と、光源から発射された光ビームを主走査方向に偏向する偏向部と、偏向部からの光ビームを像担持体に向けて反射する折り返しミラーと、折り返しミラーの両端をそれぞれ支持する支持部材と、折り返しミラーの軸線に沿って折り返しミラーの光ビームの入射面と反対側の背面にあるプレートと、折り返しミラーの背面から入射面の端部をプレートの端部で保持するための保持部と、プレートに抗して折り返しミラーの背面を湾曲補正方向に押圧する押し付け部材と、を具備する【選択図】図６
2010282195.tif 000002
【特許請求の範囲】
【請求項１】
光ビームを発射する光源と、
前記光源から発射された光ビームを主走査方向に偏向する偏向部と、
前記偏向部からの光ビームを像担持体に向けて反射する折り返しミラーと、
前記折り返しミラーの両端をそれぞれ支持する支持部材と、
前記折り返しミラーの軸線に沿って前記折り返しミラーの前記光ビームの入射面と反対側の背面にあるプレートと、
前記折り返しミラーの前記背面から前記入射面の端部を前記プレートの端部で保持するための保持部と、
前記プレートに抗して前記折り返しミラーの背面を湾曲補正方向に押圧する押し付け部材と、を具備することを特徴とする光走査装置。
【請求項２】
前記プレートは、前記折り返しミラーよりも剛性が強いことを特徴とする請求項１記載の光走査装置。
【請求項３】
前記プレートは、前記折り返しミラーの軸線に沿って延び、前記プレート両端部に前記折り返しミラーの両端を前記背面から保持する鉤状の前記保持部を形成し、前記プレートの中央部に前記押し付け部材を形成したことを特徴とする請求項１記載の光走査装置。
【請求項４】
。
前記保持部は、前記折り返しミラーの端部に対して鋭角の鉤を有することを特徴とする請求項３記載の光走査装置。
【請求項５】
前記押し付け部材は、前記プレートの中央部を前記折り返しミラーの背面側に折り曲げて形成した弾性片であることを特徴とする請求項３記載の光走査装置。
【請求項６】
前記押し付け部材は、前記プレートにねじ込み可能で、前記折り返しミラーの背面を前記湾曲補正方向に押圧するネジ部材であることを特徴とする請求項３記載の光走査装置。
【請求項７】
前記プレートは、前記折り返しミラーの軸線に沿って延び前記折り返しミラーの前記背面と反対側に屈曲し、前記プレートの一端部に前記折り返しミラーの一端を前記背面から保持する鉤状の前記保持部を形成し、前記プレートの他端に前記押し付け部材を形成し、
前記プレートを、前記折り返しミラーの前記背面の一端部と前記折り返しミラーの一端を支持する前記支持部材との間に配置することを特徴とする請求項１記載の光走査装置。
【請求項８】
光ビームを発射する光源から発射された光ビームを主走査方向に偏向し、
折り返しミラーの両端をそれぞれ支持部材によって支持し、
前記偏向部からの光ビームを前記折り返しミラーによって像担持体に向けて反射し、
前記折り返しミラーの軸線に沿って前記折り返しミラーの前記光ビームの入射面と反対側の背面にプレートを取り付け、
前記折り返しミラーの前記背面から前記入射面の端部を前記プレートの端部で保持し、
前記プレートに抗して前記折り返しミラーの背面を湾曲補正方向に押圧することを特徴とする光線湾曲補正方法。
【請求項９】
潜像を担持する像担持体と、
光ビームを発射する光源と、
前記光源から発射された光ビームを主走査方向に偏向する偏向部と、
前記偏向部からの光ビームを前記像担持体に向けて反射する折り返しミラーと、
前記折り返しミラーの両端をそれぞれ支持する支持部材と、
前記折り返しミラーの軸線に沿って前記折り返しミラーの前記光ビームの入射面と反対側の背面にあるプレートと、
前記折り返しミラーの前記背面から前記入射面の端部を前記プレートの端部で保持するための保持部と、
前記プレートに抗して前記折り返しミラーの背面を湾曲補正方向に押圧する押し付け部材と、
前記像担持体に担持された潜像を現像する現像器と、
を具備することを特徴とする画像形成装置。
【発明の詳細な説明】
【技術分野】
【０００１】
本発明の実施形態は、カラー画像を形成する際の光線湾曲による色ズレを補正する光走査装置、光線湾曲補正方法及び画像形成装置に関する。
【背景技術】
【０００２】
近年、ＭＦＰ（Multi-Function Peripherals）、カラー複写機やプリンタ等の画像形成装置は、光走査装置を備えている。光走査装置は、光源としてのレーザダイオードや、レーザビームを主走査方向に偏向するポリゴンミラー、偏向レンズ（ｆθレンズ）、折り返しミラー（reflection mirror）などを含んでいる。光走査装置はレーザユニット（laser scanning unit）と呼ばれることもある。
【０００３】
光走査装置は、ケーシングの内部に、光源やポリゴンミラー、偏向レンズ、折返しミラーなどを収容している。光源から出たレーザビームは、ポリゴンミラーを経て偏向レンズを透過し、折り返しミラーによって反射されて感光体ドラム（photoconductive drum）に向かい走査が行われる。
【０００４】
折り返しミラーは、断面が四角形の棒状のボディにアルミニウムを蒸着して形成された反射層を有している。また折り返しミラーは、ケーシングに設けた支持部によって支持されている。光走査装置は、ミラーの角度を調整する調整機構を備えている。
【０００５】
ところで、折り返しミラーは湾曲することがあるため、折り返しミラーでレーザビームを走査した場合、比較的微小な湾曲量でもミラーの端部と中央部で湾曲量に差が発生し、１走査で書き込まれる線が湾曲した画像となり、画像品質が劣化してしまう。またカラー複写機においては、複数のミラーを使用してレーザビームを折り返すため、各色間のズレ（色ずれ）を発生してしまう。
【０００６】
折り返しミラーの湾曲を補正するため、ミラーの中央部裏面（非反射面）に別部材を取り付け、ミラーの反射面の裏側を加圧する例もあるが、別部材を取り付けるための空間を要し、構造が複雑化しコストアップに繋がるという問題があった。
【先行技術文献】
【特許文献】
【０００７】
【特許文献１】特開２００９−１５７１８２号公報
【特許文献２】特開２００１−１１７０４０号公報
【発明の概要】
【発明が解決しようとする課題】
【０００８】
従来の光走査装置では、折り返しミラーが湾曲することがあるため、折り返しミラーでレーザビームを走査した場合、画像品質が劣化したり色ずれを発生してしまう。また折り返しミラーの湾曲を補正するため、ミラーの裏面に別部材を取り付ける例もあるが、構造が複雑であるという問題があった。
【０００９】
本発明は上記事情に鑑みて成されたもので、折り返しミラーの湾曲を補正部材によって補正することができる光走査装置を提供することを目的とする。
【課題を解決するための手段】
【００１０】
実施形態の光走査装置は、光ビームを発射する光源と、前記光源から発射された光ビームを主走査方向に偏向する偏向部と、前記偏向部からの光ビームを像担持体に向けて反射する折り返しミラーと、前記折り返しミラーの両端をそれぞれ支持する支持部材と、前記折り返しミラーの軸線に沿って前記折り返しミラーの前記光ビームの入射面と反対側の背面にあるプレートと、前記折り返しミラーの前記背面から前記入射面の端部を前記プレートの端部で保持するための保持部と、前記プレートに抗して前記折り返しミラーの背面を湾曲補正方向に押圧する押し付け部材と、を具備することを特徴とする。
【図面の簡単な説明】
【００１１】
【図１】一実施形態に係る画像形成装置の全体構成図。
【図２】一実施形態に係る光走査装置を含む画像形成装置の構成図。
【図３】光走査装置の全体的な構成を示す斜視図。
【図４】光走査装置のミラーユニットを示す斜視図。
【図５】ミラーの湾曲とレーザビームの湾曲の関係を示す説明図。
【図６】ミラーの湾曲を補正する補正部材の構成を示す斜視図及び断面図。
【図７】図６（ｂ）のミラー先端部とバネ部材を拡大して示す斜視図。
【図８】図６（ｂ）のミラー中央部と押し付け部材を拡大して示す斜視図。
【図９】補正部材が取り付けられたミラーの支持構造を示す斜視図。
【図１０】補正部材の変形例を示す斜視図。
【図１１】補正部材の他の変形例を示す斜視図。
【図１２】図１１の補正部材を使用した湾曲補正の動作を示す説明図。
【図１３】光走査装置の第２の実施形態に用いる補正部材を示す斜視図。
【図１４】補正部材をミラーに取り付けた状態を示す斜視図。
【図１５】補正部材の動きを示す平面図。
【図１６】ミラーの湾曲補正の動作を示す斜視図。
【図１７】補正部材の回動機構の一例を示す平面図と正面図。
【図１８】第２の実施形態の補正部材の変形例を示す斜視図。
【発明を実施するための形態】
【００１２】
以下、実施形態に係る画像形成装置について図面を参照して詳細に説明する。尚、各図において同一箇所については同一の符号を付す。
【実施例１】
【００１３】
図１は、一実施形態の画像形成装置を示す正面図である。図１において、画像形成装置１０は、例えば複合機であるＭＦＰ（Multi-Function Peripherals）や、プリンタ、複写機等である。以下の説明ではＭＦＰを例に説明する。ＭＦＰ１０の本体１１の上部には原稿台（document table）があり、原稿台上には自動原稿搬送部（ＡＤＦ）１２を開閉自在に設けている。また本体１１の上部には操作パネル１３を設けている。操作パネル１３は、各種のキーから成る操作部１４と、タッチパネル式の表示部１５を有している。
【００１４】
本体１１内のＡＤＦ１２の下部にはスキャナ部１６を設けている。スキャナ部１６は、ＡＤＦ１２によって送られる原稿（document）または原稿台上に置かれた原稿を読み取って画像データを生成する。さらに本体１１内の中央部にはプリンタ部１７を有し、本体１１の下部には、各種サイズの用紙を収容する複数のカセット１８を有している。
【００１５】
プリンタ部１７は、感光体ドラムとレーザ等を含み、スキャナ部１６で読み取った画像データや、ＰＣ（Personal Computer）などで作成された画像データを処理して用紙に画像を形成する（詳細は後述）。プリンタ部１７によって画像が形成された用紙は、排紙部３９に排出される。プリンタ部１７は、例えばタンデム方式によるカラーレーザプリンタであり、光走査装置（レーザユニット）１９からのレーザビームによって感光体を走査して画像を生成する。
【００１６】
プリンタ部１７は、イエロー（Ｙ）、マゼンタ（Ｍ）、シアン（Ｃ）、ブラック（Ｋ）の各色の画像形成部２０Ｙ，２０Ｍ，２０Ｃ，２０Ｋを含む。画像形成部２０Ｙ，２０Ｍ，２０Ｃ，２０Ｋは、中間転写ベルト２１の下側に、上流から下流側に沿って並列に配置している。
【００１７】
画像形成部２０Ｙ，２０Ｍ，２０Ｃ，２０Ｋを含むプリンタ部１７を図２に拡大して示す。なお、以下の説明において各画像形成部２０Ｙ，２０Ｍ，２０Ｃ，２０Ｋは同じ構成であるため、画像形成部２０Ｙを代表にして説明する。図２からも分かるように、画像形成部２０Ｙは、像担持体である感光体ドラム２２Ｙを有し、感光体ドラム２２Ｙの周囲に、回転方向ｔに沿って帯電チャージャ２３Ｙ、現像器２４Ｙ、１次転写ローラ２５Ｙ、クリーナ２６Ｙ、ブレード２７Ｙ等を配置している。感光体ドラム２２Ｙの露光位置には、光走査装置１９からイエローのレーザビームを照射し、感光体ドラム２２Ｙ上に静電潜像を形成する。
【００１８】
画像形成部２０Ｙの帯電チャージャ２３Ｙは、感光体ドラム２２Ｙの表面を一様に全面帯電する。現像器２４Ｙは、現像バイアスが印加される現像ローラによりイエローのトナー及びキャリアを含む二成分現像剤を感光体ドラム２２Ｙに供給する。クリーナ２６Ｙは、ブレード２７Ｙを用いて感光体ドラム２２Ｙ表面の残留トナーを除去する。
【００１９】
画像形成部２０Ｙ，２０Ｍ，２０Ｃ，２０Ｋの上部には、現像器２４Ｙ，２４Ｍ，２４Ｃ，２４Ｋにトナーを供給するトナーカートリッジ２８（図１）を設けている。トナーカートリッジ２８は、イエロー（Ｙ）、マゼンタ（Ｍ）、シアン（Ｃ）、ブラック（Ｋ）の各色のトナーカートリッジ２８Ｙ，２８Ｍ，２８Ｃ，２８Ｋが隣接している。
【００２０】
中間転写ベルト２１は、循環的に移動し、耐熱性及び耐磨耗性の点から例えば半導電性ポリイミドが用いられる。中間転写ベルト２１は、駆動ローラ３１及び従動ローラ３２、３３に張架され、中間転写ベルト２１は感光体ドラム２２Ｙ〜２２Ｋに対向して接触している。中間転写ベルト２１の感光体ドラム２２Ｙに対向する位置には、１次転写ローラ２５Ｙにより１次転写電圧が印加され、感光体ドラム２２Ｙ上のトナー像を中間転写ベルト２１に１次転写する。
【００２１】
中間転写ベルト２１を張架する駆動ローラ３１には、２次転写ローラ３４を対向して配置している。駆動ローラ３１と２次転写ローラ３４間を用紙Ｓが通過する際に、２次転写ローラ３４により２次転写電圧が印加され、中間転写ベルト２１上のトナー像を用紙Ｓに２次転写する。中間転写ベルト２１の従動ローラ３３付近には、ベルトクリーナ３５を設けている。
【００２２】
一方、光走査装置１９は、各感光体ドラム２２Ｙ〜２２Ｋに、画像情報に応じたレーザビームを照射し走査する。レーザビームによって、各感光体ドラム２２Ｙ〜２２Ｋに現像すべき色に対応した静電潜像が形成される。光走査装置１９の詳細については、後述する。
【００２３】
また図１で示すように、給紙カセット１８から２次転写ローラ３４に至る間には、給紙カセット１８内の用紙Ｓを取り出す分離ローラ３６、及び搬送ローラ３７を設けており、２次転写ローラ３４の下流には定着装置３８を設けている。また定着装置３８の下流には排紙部３９を設けている。
【００２４】
次に図１，図２の画像形成装置１０の動作を説明する。スキャナ１６やＰＣ等から画像データが入力されると、各画像形成部２０Ｙ〜２０Ｋにて、順次に画像が形成される。画像形成部２０Ｙを例に述べると、感光体ドラム２２Ｙは、イエロー（Ｙ）の画像データに対応するレーザビームが照射され静電潜像が形成される。更に感光体ドラム２２Ｙの静電潜像は、現像器２４Ｙによって現像されイエロー（Ｙ）のトナー像が形成される。
【００２５】
感光体ドラム２２Ｙは、回転する中間転写ベルト２１と接触して１次転写ローラ２５Ｙによりイエロー（Ｙ）のトナー像を中間転写ベルト２１上に１次転写する。感光体ドラム２２Ｙは、トナー像を中間転写ベルト２１に１次転写した後、残留トナーがクリーナ２６Ｙ及びブレード２７Ｙによって除去され、次の画像形成が可能となる。
【００２６】
イエロー（Ｙ）のトナー像形成プロセスと同様にして、画像形成部２０Ｍ〜２０Ｋにより、マゼンタ（Ｍ）、シアン（Ｃ）、ブラック（Ｋ）のトナー像が形成され、各トナー像が中間転写ベルト２１上のイエロー（Ｙ）のトナー像と同一位置に順次転写され、中間転写ベルト２１上にイエロー（Ｙ）、マゼンタ（Ｍ）、シアン（Ｃ）、ブラック（Ｋ）のトナー像を多重転写し、フルカラートナー像を得る。
【００２７】
中間転写ベルト２１は、フルカラートナー像を２次転写ローラ３４の転写バイアスにより用紙Ｓ上に一括２次転写する。中間転写ベルト２１上のフルカラートナー像が２次転写ローラ３４に達するのと同期して、給紙カセット１８から２次転写ローラ３４へ用紙Ｓが給紙される。
【００２８】
トナー像が２次転写された用紙Ｓは定着装置３８に達しトナー像を定着する。トナー像が定着された用紙Ｓは、排紙部３９に排出される。一方、中間転写ベルト２１は、２次転写終了後、ベルトクリーナ３５により残留トナーがクリーニングされる。
【００２９】
図３は、光走査装置１９の全体構造を示す斜視図である。光走査装置１９はケーシング４１を備えている。ケーシング４１は、底部４２と、底部４２のから立ち上がる側壁４３とを含み、例えば合成樹脂によって一体成形されている。ケーシング４１は、例えばガラス繊維で強化されたＡＢＳ樹脂(acrylonitrile butadiene styrene resin)や変性PPE（modified-Polyphenylene ether）である。
【００３０】
ケーシング４１の上面は、カバーによって覆われる。図３は、説明の便宜上、カバーを取り外した状態を示す。ケーシング４１の内部には、光源５０，５１，５２，５３と、ポリゴンミラー５４を含むポリゴンミラー機構５５と、第１の偏向レンズ５６と、第２の偏向レンズ５７と、ミラーユニット６０が収納されている。
【００３１】
光源５０〜５３は、それぞれ、色分解された画像光（レーザビーム）をポリゴンミラー５４に向けて出力するレーザダイオードを備えている。光源５０〜５３と、ポリゴンミラー機構５５と、第１の偏向レンズ５６は、例えばアルミニウム合金製の共通ベース５８に搭載されている。ポリゴンミラー５４は、ポリゴンモータ５９（図２）によって回転し、レーザビームを主走査方向に偏向する偏向部を構成する。
【００３２】
図４は、ミラーユニット６０をポリゴンミラー５４の側から見た斜視図である。ミラーユニット６０は、金属製のフレーム６１と、フレーム６１によって保持された折り返しミラー７０〜７９を備えている。折り返しミラー７０〜７９（以下、単にミラーと呼ぶ）は、図２にも示すように各色（yellow, magenta, cyan, black）に応じた画像光を反射する。
【００３３】
例えば、ミラー７０は yellow のためのレーザビームを反射し、ミラー７１，７２，７３は magenta のためのレーザビームを反射し、ミラー７４，７５，７６は cyan のためのレーザビームを反射し、ミラー７７，７８，７９は black のためのレーザビームを反射する。ミラー７０〜７９はいずれも棒状である。ミラー７０〜７５はポリゴンミラー５４から遠い位置にあり、ミラー７６〜７９はポリゴンミラー５４に近い位置にある。
【００３４】
ミラーユニット６０のフレーム６１は、例えばアルミニウム合金製の一対のベース部材６２，６３を含む。ベース部材６２，６３は、それぞれアルミニウム合金などの金属を鋳造して形成されており、例えばアルミダイキャスト製である。ベース部材６２，６３は互いに対向して配置され、ベース部材６２，６３の下部に、複数の取付部６４を設けている。取付部６４は、ボルト等の固定部材によって、ケーシング４１の底部４２に固定される。
【００３５】
また図４に示すように、一方のベース部材６２の内側の面に、第１のミラー支持板６５を取付け、他方のベース部材６３の内側の面に、第２のミラー支持板６６と、第３のミラー支持板６７を取付けている。ミラー支持板６５と６６は互いに平行に配置されている。ミラー支持板６５〜６７は、それぞれ、厚さが一定の金属製の平板である。
【００３６】
図５は、ミラーの湾曲とレーザビームの湾曲の関係を示す説明図である。図５において、ミラー７０〜７９は、本来、点線で示すように直線的な棒状のものであるが、ミラー７０〜７９のいずれかが湾曲すると、ミラーで反射した光線ＬＢも同様に湾曲する。湾曲したレーザビームで感光体ドラム２２を走査した場合、比較的微小な湾曲量でもミラーの中央部では湾曲量が多くなり、感光体ドラム２２に１走査で書き込まれる線も湾曲してしまう。カラー複写機においては、複数のミラーを使用してレーザビームを反射するため、各色間のズレ（色ずれ）を発生してしまう。
【００３７】
実施形態の光走査装置１９では、ミラー（７０〜７９）のいずれかが湾曲した場合に、補正部材８０を取り付けて湾曲を補正する。以下、補正部材８０の構成について説明する。尚、以下の説明では、ミラー７８を代表例とし、ミラー７８が湾曲しているものと仮定して説明する。
【００３８】
図６（ａ）は、補正部材８０の構成を示す斜視図であり、図６（ｂ）はミラー７８に補正部材８０が取り付けられた状態を示す図である。尚、図６（ｂ）は、図４の矢印Ａ方向からミラー７８の背面側を見た図である。図６（ｃ）は、図６（ｂ）の軸線Ｘに沿って示す断面図である。
【００３９】
補正部材８０は、レーザビームの入射面側が凹状に湾曲しているミラー（図５参照）に取り付けられ、かつミラーの入射面（反射面）と反対の背面側に取り付けられる。補正部材８０は、湾曲していないミラーに取り付ける必要はない。
【００４０】
図６（ａ）において、補正部材８０は、ミラー７８の軸方向に延びるプレートで構成され、ミラー７８の入射面とは逆の面（背面）に取り付けられる。補正部材８０は、ミラー７８よりも剛性の強いプレートで成る。補正部材８０は、プレートの両端にＬ字状のバネ部材８１を形成し、中央部に押し付け部材８４を備えている。バネ部材８１の先端は、ミラー７８の入射面に引っ掛けるように鋭角の鉤(hook)８２を有している。またバネ部材８１の先端にスリット８３を形成しており、バネ部材８１を曲げやすく、鉤８２をミラー７８の先端に引っ掛けやすくしている。
【００４１】
また押し付け部材８４の周辺には、Ｕ字状のスリット８５を形成しており、押し付け部材８４の先端はミラー７８の背面側に曲がっている。押し付け部材８４は弾性を有し、先端にはミラー７８の背面側に突出した突起８６を設け、突起８６によってミラー７８の背面を矢印Ｂ方向から弾性的に押しつける構造になっている。また補正部材８０は、ミラー７８の背面に隣接する側面の一部をカバーする折り曲げ部８７を有しており、補正部材８０のプレート本体部分は断面がＵ字状になっている。
【００４２】
図６（ｂ）、図６（ｃ）は、ミラー７８に補正部材８０を取り付けた状態を示している。
【００４３】
図７は、ミラー７８の先端部とバネ部材８１（図６（ｂ）の円Ｃ）を拡大して示す図であり、図８は、ミラー７８の中央部と押し付け部材８３（図６（ｂ）の円Ｄ）を拡大して示す図である。図７及び図８から分かるように、ミラー７８は、断面が四角形の棒状のボディ９０と、ボディ９０の一面にアルミニウムを蒸着して形成した反射層９１を有している。反射層９１はレーザビームの入射面であり、また反射面でもある。
【００４４】
入射面９１にはレーザビームが照射され、照射されたレーザビームを反射する。入射面９１の裏側の面（背面９２）には補正部材８０が取り付けられる。入射面９１に隣接する２つの側面の一部は、補正部材８０の折り曲げ部８７によってカバーされる。
【００４５】
図９は、補正部材８０が取り付けられたミラー７８をミラー支持板６５に支持する支持構造を示す図である。ミラー支持板６５にはミラー７８の先端部が貫通する窓６８を設けており、窓６８とミラー７８（補正部材８０）との間の隙間に保持バネ６９を差し込んで、ミラー７８をミラー支持板６５に支持している。ミラー７８の他端も同様の支持構造で支持される。或いは他の支持構造を用いても良い。
【００４６】
ミラー７８に補正部材８０を取り付けると、図６（ｂ）、図７に示すようにバネ部材８１の鉤８２がミラー７８の入射面側の先端部に引っ掛かる。バネ部材８１の鉤８２は、ミラー７８の背面から入射面９１の端部を保持するもので、プレートの端部に形成した保持部を構成する。
【００４７】
また補正部材８０の押し付け部材８４に設けた突起８６がミラー７８の背面を湾曲補正方向Ｂに押圧する（図６（ｃ）参照）。したがって、ミラー７８は、湾曲が矯正され、真っ直ぐになる。ミラー７８が、もし図５で示すようにレーザビームの入射面側が凹状に湾曲しているときは、補正部材８０のバネ力のみで湾曲を補正または調整することができる。
【００４８】
補正部材８０は、押し付け部材８４がミラー７８の背面にほぼ接する構造であるため、押し付け部材８４を補正部材８０に取り付けるための別部品を必要としない。また押し付け部材８４の先端は、ミラー７８の背面側に曲がっているため、曲げ量や突起８６の大きさを選定することでミラー７８の湾曲量に対応した矯正が可能になる。
【００４９】
尚、光走査装置１９の各ミラー７０〜７９は、レーザビーム経路の違いや、レーザビームの折り返し回数、ミラーへのレーザ入射角度、レーザの反射使用範囲が異なる。したがって、ミラーの湾曲量が同じでも画像形成したときの湾曲量が異なるが、ミラー個々に補正部材８０を取り付けることが可能なため、補正が必要なミラーにのみ補正部材８０を取り付けることで画像のレベルが向上する。
【００５０】
図１０は、補正部材８０の変形例を示す図である。図１０の補正部材８０は、押し付け部材８４の代わりにネジ８８を設けたものである。ネジ８８は補正部材８０中央部に取り付けられ、ネジ８８によってミラー７８の背面を押し付ける。ネジ８８のねじ込み量を調整することでミラー７８の矯正量を調整することができる。
【００５１】
図１１は、補正部材の他の変形例を示す図である。図１１の補正部材８００は、ミラー７８に取り付けられるプレートで構成され、プレートはミラー７８の背面と反対側に屈曲している。補正部材８００は、ミラー７８の軸方向の端部に取り付けるバネ部材８０１と、バネ部材８０１の一端をミラー７８の入射面９１に引っ掛ける鋭角の鉤（hook）８０２を有している。
【００５２】
またバネ部材８０１の他端にはミラー７８の軸線方向に延びた押し付け部材８０４を有している。押し付け部材８０４には、ミラー７８の背面側に突出した突起８０６と、ミラー７８の側面（背面９２に隣接する面）を保持する折り曲げ部８０７を形成している。
【００５３】
図１２は、ミラー７８の一端に補正部材８００を取り付けた状態を示している。図５で示すようにレーザビームの入射面側（入射面９１側）が凹状に湾曲しているものとすると、補正部材８００は、ミラーの入射面と逆の背面９２に取り付けられる。バネ部材８０１の鉤８０２はミラー７８の軸方向の端部に引っ掛かり、補正部材８００の折り曲げ部８０７がミラー７８の側面を保持する。
【００５４】
またミラー支持板６５が屈曲した補正部材８００を押し付けるため、押し付け部材８０４に設けた突起８０６がミラー７８の背面を押圧する。したがって突起８０６によって、ミラー７８は湾曲補正方向（矢印Ｂ方向）に押圧され、補正部材８００のバネ力でミラーの湾曲を矯正または調整することができる。尚、ミラー支持板６５と補正部材８００の間に図９の保持バネ６９を挿入してもよい。
【００５５】
補正部材８００は、ミラーの湾曲具合によって取り付け位置を設定し、ミラー７８の一端側だけでなく他端側に取り付けてもよい。またバネ力が異なる複数種の補正部材８００を用意しておき、ミラー７８の湾曲の度合いに応じて矯正に適したバネ力の補正部材８００を取り付けるようにしても良い。
【実施例２】
【００５６】
次に光走査装置１９の第２の実施形態について説明する。第２の実施形態ではミラーの湾曲を補正するため、図１３に示す補正部材１００を使用する。以下の説明では、ミラー７８が湾曲しているものと仮定して説明する。図１３において、補正部材１００は、ミラー７８の軸方向に延びるプレートで構成され、ミラー７８の反射面に隣接する側面９３に取り付ける。補正部材１００は、ミラー７８よりも剛性の強い鋼板等で成り、補正部材１００の一端１０１は他端１０２を支点にしてミラー７８の軸線と直交する方向に回動することができる。
【００５７】
補正部材１００の一端１０１は、ネジ１０３等の調整具によって回動量を調整する。補正部材１００の他端１０２は、ネジ１０４によってミラー支持板６６等の固定物に取り付けられる。補正部材８０の中央部にはピン１０５が挿入される。ミラー７８にはピン１０５と対向する位置に孔９５を設けており、孔９５にはピン１０５が挿入される。またミラー７８は、ミラー支持板６５，６６に両端が固定されている。固定方法は任意である。
【００５８】
図１４は、ミラー７８に補正部材１００が取り付けられた状態を示す斜視図である。ミラー７８と補正部材１００はピン１０５で結合している。
【００５９】
第２の実施形態によるミラーの湾曲補正の動作を図１５、図１６を参照して説明する。図１５は補正部材１００とミラー７８の平面図であり、図１６はミラー７８の湾曲補正動作を示す斜視図である。図１５に示すように、補正部材１００はネジ１０４を支点として一端１０１が一点鎖線で示すＥ方向、又は点線で示すＦ方向に回動することができる。
【００６０】
補正部材１００を回動すると、ミラー７８は両端部が固定されているので、ピン１０５によってミラー７８の中央部がＥ方向又はＦ方向に引っ張られる。したがって、ミラー７８の湾曲を矯正する方向に補正部材１００を回動させればよい。ミラー７８にかかる荷重はネジ１０３等の調整具で調整することができる。図１６は、ミラー７８のレーザビームの入射面（入射面９１）が点線で示すように凹状に湾曲しているときに、補正部材１００をＥ方向に回動させて湾曲を補正する例を示している。
【００６１】
図１７（ａ）、（ｂ）は、補正部材１００の一端１０１を回動する回動機構の一例を示す図である。図１７（ａ）は平面図であり、図１７（ｂ）は一端１０１を正面からみた図である。
【００６２】
補正部材１００の一端１０１には、段付きのネジ１０３が取り付けられている。一端１０１は図１７（ｂ）のようにネジ１０３の細い胴部を挿入するスリット１０６を形成している。ネジ１０３は、固定部材１０７にねじ込み可能で、ネジ１０３を一方向に回せば一端１０１はＥ方向に回動し、ネジ１０３を反対方向に回せば一端１０１はＦ方向に回動する。回動機構は図１７の例に限らず種々の機構を使用することができる。
【００６３】
図１８は、補正部材１００の変形例を示す図である。補正部材１００は、ミラー７８の軸方向に延び、ミラー７８の入射面９１に隣接する両側面９３，９４を挟むように上下のプレート１１１と１１２で構成されている。プレート１１１と１１２の中心部にはピン１０５が貫通する孔を設けている。補正部材１００の一端１０１は他端１０２を支点にして図１５と同様にミラー７８の軸線と直交する方向に回動することができる。
【００６４】
補正部材８０の一端１０１はネジ１０３等の調整具によって回動量を調整することができる。補正部材１００の上下のプレート１１１と１１２の他端１０２は、ネジ１０４によってミラー支持板６６等の固定物に取り付けられる。補正部材８０の中央部にはピン１０５が挿入される。
【００６５】
ミラー７８にはピン１０５と対向する位置に孔９５を設けており、孔９５にはピン１０５が挿入される。またミラー７８は、ミラー支持板６５，６６に両端が固定されている。固定方法は任意である。ミラー７８と補正部材１００はピン１０５で結合される。ピン１０５が上下のプレート１１１と１１２間に支持されるため、ミラー７８の湾曲を強く矯正することができる。
【００６６】
第２の実施形態では、ミラー７８のレーザビームの入射面（入射面９１）が凹状に湾曲していても凸状に湾曲していても、補正部材１００をネジ１０３等の調整具で回動することにより湾曲を矯正することができる。
【００６７】
尚、以上の実施形態に限定されることなく、種々の変形が可能である。
【符号の説明】
【００６８】
１０…画像形成装置
１７…プリンタ部
１９…光走査装置
６５，６６…ミラー支持板
６９…保持バネ
７０〜７９…折り返しミラー
８０，８００…補正部材
８１，８０１…バネ部材
８２，８０２…鉤
８４，８０４…押し付け部材
８６，８０６…突起
８７，８０７…折り曲げ部
８８…ネジ
９１…入射面
１００…補正部材
１０３，１０４…ネジ
１０５…ピン
【図１】
2010282195.tif 000003
【図２】
2010282195.tif 000004
【図３】
2010282195.tif 000005
【図４】
2010282195.tif 000006
【図５】
2010282195.tif 000007
【図６】
2010282195.tif 000008
【図７】
2010282195.tif 000009
【図８】
2010282195.tif 000010
【図９】
2010282195.tif 000011
【図１０】
2010282195.tif 000012
【図１１】
2010282195.tif 000013
【図１２】
2010282195.tif 000014
【図１３】
2010282195.tif 000015
【図１４】
2010282195.tif 000016
【図１５】
2010282195.tif 000017
【図１６】
2010282195.tif 000018
【図１７】
2010282195.tif 000019
【図１８】
2010282195.tif 000020